【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
マルチビュー映像データを復号する方法であって、
第１の基準ビューを含む１つ以上の基準ビューにおいて１つ以上のピクチャを復号することと、
現在のブロックの１つ以上の近隣ブロックの動きベクトルが、前記１つ以上の基準ビューのうちの１つに属する基準ピクチャに対応する基準インデックスと関連付けられると決定することに応答して、前記動きベクトルは視差動きベクトルであるとみなすことと、ここにおいて、前記現在のブロックは、第２のビュー内に存在する、
前記視差動きベクトルを利用することによって、前記現在のブロックに関する視差ベクトルを導き出すことと、ここにおいて、前記視差ベクトルは、前記現在のブロックから前記１つ以上の基準ビューのうちの１つにおける同じ時間的インスタンスのピクチャ内の対応するブロックを指し示す、
を備える、方法。
【請求項２】
マルチビュー映像データを符号化する方法であって、
第１の基準ビューを含む１つ以上の基準ビューにおいて１つ以上のピクチャを符号化することと、
現在のブロックの１つ以上の近隣ブロックの動きベクトルが、前記１つ以上の基準ビューのうちの１つに属する基準ピクチャに対応する基準インデックスと関連付けられると決定することに応答して、前記動きベクトルは視差動きベクトルであるとみなすことと、ここにおいて、前記現在のブロックは、第２のビュー内に存在する、
前記視差動きベクトルを利用することによって、前記現在のブロックに関する視差ベクトルを導き出すことと、ここにおいて、前記視差ベクトルは、前記現在のブロックから前記１つ以上の基準ビューのうちの１つにおける同じ時間的インスタンスのピクチャ内の対応するブロックを指し示す、
を備える、方法。
【請求項３】
前記視差ベクトルと関連付けられた基準ビューを決定することと、
前記基準ビューのインタービュー基準ピクチャ内の基準ブロックを識別することと、をさらに備える、請求項１又は請求項２に記載の方法。
【請求項４】
前記視差ベクトルと関連付けられた基準ビューを決定することと、
前記視差ベクトルに基づいて前記現在のブロックに関する視差動きベクトルを生成することであって、前記視差動きベクトルの前記基準インデックスは、前記基準ビューからのインタービュー基準ピクチャに対応することと、をさらに備える、請求項１又は請求項２に記載の方法。
【請求項５】
前記１つ以上の近隣ブロックは、１つ以上の空間的近隣ブロックを備え、前記視差動きベクトルは、前記空間的近隣ブロックのうちの１つと関連付けられる、または、
前記１つ以上の近隣ブロックは、１つ以上の時間的近隣ブロックを備え、前記視差動きベクトルは、前記時間的近隣ブロックのうちの１つと関連付けられる、請求項１又は請求項２に記載の方法。
【請求項６】
前記１つ以上の近隣ブロックは、１つ以上の空間的近隣ブロック及び１つ以上の時間的近隣ブロックを備え、前記視差動きベクトルは、前記空間的近隣ブロック及び前記時間的近隣ブロックのうちの１つと関連付けられる、請求項１又は請求項２に記載の方法。
【請求項７】
前記視差ベクトルは、暗黙の視差ベクトルを備え、
前記暗黙の視差ベクトルを導き出すことは、望ましくは、前記１つ以上の近隣ブロックのコーディング中に前記１つ以上の近隣ブロックに関して格納された１つ以上の視差ベクトルを識別することを備え、ここにおいて、前記１つ以上の視差ベクトルは、前記近隣ブロックに関するインタービュー動きパラメータ予測中に前記１つ以上の近隣ブロックに関して決定される、請求項１に記載の方法。
【請求項８】
前記現在のブロックの前記視差ベクトルによって決定される前記基準ビュー内の前記インタービュー基準ピクチャの前記基準ブロックの情報を用いてインタービュー動き予測を行うことをさらに備える、請求項３に記載の方法。
【請求項９】
１つ以上の候補視差ベクトルを決定することをさらに備え、ここにおいて、前記視差動きベクトルは、前記候補視差ベクトルのうちの１つを備え、
前記視差ベクトルを導き出すことは、前記１つ以上の候補視差ベクトルのうちの１つを前記視差ベクトルとして選択することを備える、請求項１に記載の方法。
【請求項１０】
複数の近隣ブロックのうちの１つが利用可能な候補視差ベクトルを生成するかどうかを決定するために前記複数の近隣ブロックを評価することと、ここにおいて、前記視差動きベクトルは、前記利用可能な候補視差ベクトルを備える、
前記利用可能な候補視差ベクトルを識別した時点で前記複数の近隣ブロックを前記評価することを終了させることと、をさらに備え、
前記現在のブロックに関する前記視差ベクトルを導き出すことは、前記利用可能な候補視差ベクトルを前記視差ベクトルとして使用することを備える、請求項１又は請求項２に記載の方法。
【請求項１１】
第２の現在のブロックに関する第２の視差ベクトルを決定することであって、前記第２の現在のブロックは前記第２のビュー内に存在し、
前記第２の現在のブロックに関して、前記第２の視差ベクトルに基づいて前記第１の基準ビューの前記ピクチャのうちの１つにおいて第２の対応するブロックを決定することと、をさらに備え、
前記第２の視差ベクトルは、グローバル視差ベクトルまたは平滑な時間的ビュー予測された（ＳＴＶ）視差ベクトルを備える、請求項１又は請求項２に記載の方法。
【請求項１２】
前記視差ベクトルが指し示すビューとターゲット基準ビューとの間の差分に基づいて前記視差ベクトルをスケーリングすることをさらに備える、請求項１又は請求項２に記載の方法。
【請求項１３】
マルチビュー映像データを復号するためのデバイスであって、
第１の基準ビューを含む１つ以上の基準ビューにおいて１つ以上のピクチャを復号するための手段と、
現在のブロックの１つ以上の近隣ブロックの動きベクトルが、前記１つ以上の基準ビューのうちの１つに属する基準ピクチャに対応する基準インデックスと関連付けられると決定することに応答して、前記現在のブロックの前記１つ以上の近隣ブロックの前記動きベクトルは視差動きベクトルであるとみなすための手段と、ここにおいて、前記現在のブロックは、第２のビュー内に存在する、
前記視差動きベクトルを利用して、前記現在のブロックに関する視差ベクトルを導き出すための手段と、ここにおいて、前記視差ベクトルは、前記現在のブロックから前記１つ以上の基準ビューのうちの１つにおける同じ時間的インスタンスのピクチャ内の対応するブロックを指し示す、
を備える、デバイス。
【請求項１４】
マルチビュー映像データを符号化するためのデバイスであって、
第１の基準ビューを含む１つ以上の基準ビューにおいて１つ以上のピクチャを符号化するための手段と、
現在のブロックの１つ以上の近隣ブロックの動きベクトルが、前記１つ以上の基準ビューのうちの１つに属する基準ピクチャに対応する基準インデックスと関連付けられると決定することに応答して、前記現在のブロックの前記１つ以上の近隣ブロックの前記動きベクトルは視差動きベクトルであるとみなすための手段と、ここにおいて、前記現在のブロックは、第２のビュー内に存在する、
前記視差動きベクトルを利用して、前記現在のブロックに関する視差ベクトルを導き出すための手段と、ここにおいて、前記視差ベクトルは、前記現在のブロックから前記１つ以上の基準ビューのうちの１つにおける同じ時間的インスタンスのピクチャ内の対応するブロックを指し示す、
を備える、デバイス。
【請求項１５】
実行されたときに、１つ以上のプロセッサに、請求項１から請求項１２のうちの何れか１つに従った方法を実行させる命令を格納する、コンピュータによって読み取り可能な記憶媒体。